(57)【要約】【課題】法令集等の書籍において列記される複数の規定内容のうち、どの規定同士が互いに関連するものであるのかを容易に判別することができる書籍を提供する。【解決手段】所定事項が記載される本文記載部と、余白部とを有する紙面を複数備える書籍であって、前記本文記載部には、連続する項目番号と、前記項目番号毎に分類して記載される記載事項とが印刷されており、互いに関連する内容を有する記載事項に付される一群の項目番号に対しては、前記一群の項目番号に含まれる各項目番号の近傍における前記余白部に、同一のマークが印刷されている書籍。【選択図】図１
0003171355.tif 000002
【実用新案登録請求の範囲】
【請求項１】
所定事項が記載される本文記載部と、余白部とを有する紙面を複数備える書籍であって、
前記本文記載部には、連続する項目番号と、前記項目番号毎に分類して記載される記載事項とが印刷されており、
互いに関連する内容を有する複数箇所の記載事項に付される一群の項目番号に対しては、前記一群の項目番号に含まれる各項目番号の近傍における前記余白部に、同一のマークが印刷されている書籍。
【請求項２】
項目番号の近傍における前記余白部に、内容が関連する記載事項が掲載されているページ番号が印刷されている請求項１に記載の書籍。
【請求項３】
前記項目番号毎に分類して記載される記載事項は、法律に関するものである請求項１又は２に記載の書籍。
【請求項４】
前記本文記載部には、前記項目番号毎に分類して記載される記載事項に関連する表が更に掲載されており、
前記表中の記載であって、前記一群の項目番号における記載事項と関連する表中記載に対しては、前記一群の項目番号に含まれる各項目番号の近傍における前記余白部に印刷される前記マークと同一のマークが、前記表中記載の近傍における前記余白部に、印刷されている請求項１から３のいずれかに記載の書籍。
【考案の詳細な説明】
【技術分野】
【０００１】
本考案は、書籍に関する。
【背景技術】
【０００２】
従来から、様々な法律に関する条文や施行令、施行規則等についての法令集等の書籍が種々の出版社から刊行されている。法令集は、様々な規定内容が列記されているものであり、例えば、第１条、第２条、第３条・・・というように連続する条文番号と共に、各条文番号毎に分類される規定内容が掲載されている。
【０００３】
法令集における各規定内容は、その内容によっては、他の規定内容と密接な関連性を有する構造となっている。建築基準法施行令を例にとって説明すると、“防火区画”に関する第１１２条第１項には、以下に示すような内容が規定されている。
「第１１２条第１項  
主要構造部を耐火構造とした建築物又は法第２条第九号の三イ若しくはロのいずれかに該当する建築物で、延べ面積（スプリンクラー設備、水噴霧消火設備、泡消火設備その他これらに類するもので自動式のものを設けた部分の床面積の１／２に相当する床面積を除く。以下この条において同じ。）が１，５００平方ｍ２を超えるものは、床面積（スプリンクラー設備、水噴霧消火設備、泡消火設備その他これらに類するもので自動式のものを設けた部分の床面積の１／２に相当する床面積を除く。以下この条において同じ。）の合計１，５００平方ｍ２以内ごとに耐火構造若しくは第１１５条の２の２第１項第一号に掲げる技術基準に適合する準耐火構造の床若しくは壁又は特定防火設備（第１０９条に規定する防火設備であって、これに通常の火災による火熱が加えられた場合に、加熱開始後１時間当該加熱面以外の面に火炎を出さないものとして、国土交通大臣が定めた構造方法を用いるもの又は国土交通大臣の認定を受けたものをいう。以下同じ。）で区画しなければならない。ただし、次の各号の一に該当する建築物の部分でその用途上やむを得ない場合においては、この限りでない。
一 劇場、映画館、演芸場、観覧場、公会堂又は集会場の客席、体育館、工場その他これらに類する用途に供する建築物の部分  
二 階段室の部分又は昇降機の昇降路の部分（当該昇降機の乗降のための乗降ロビーの部分を含む。）で第１１５条の２の２第１項第一号に掲げる基準に適合する準耐火構造の床若しくは壁又は特定防火設備で区画されたもの  」
また、同条第５項には、以下のような内容が規定されている。  
「第１１２条第５項  
建築物の１１階以上の部分で、各階の床面積の合計が１００平方ｍ２をこえるものは、第１項の規定にかかわらず、床面積の合計１００平方ｍ２以内ごとに耐火構造の床若しくは壁又は法第２条第九号の二ロに規定する防火設備で区画しなければならない。」  
また、同施行令の“避難上の安全の検証を行う建築物に対する基準の適用”に関する規定については、以下に示すように、第１２９条の２の２第１項において、所定の場合には上述の第１１２条第５項が適用されない場合が規定されている。  
「第１２９条の２の２ 第１項  
建築物（主要構造部が準耐火構造であるか、又は不燃材料で造られたものに限る。）で、当該建築物が全館避難安全性能を有するものであることについて、全館避難安全検証法により確かめられたもの又は国土交通大臣の認定を受けたものについては、第１１２条第５項、第９項、第１２項及び第１３項、第１１９条、第１２０条、第１２３条第１項第一号及び第六号、第２項第二号、第３項第一号、第二号、第九号及び第十一号、第１２４条第１項、第１２５条第１項及び第３項、第１２６条の２、第１２６条の３並びに第１２９条（第２項、第６項及び第７項並びに階段に係る部分を除く。）の規定は、適用しない。」
【０００４】
このように、建築基準法施行令において規定される“防火区画”に関する内容だけをみても、第１１２条第１項や、同条第５項、第１２９条の２の２
第１項等の様々な規定が互いに密接に関連していることがわかる。
【考案の概要】
【考案が解決しようとする課題】
【０００５】
法令集に掲載されている各種条文や施行令、施行規則等は、様々な状況に対応する必要があることから上述のように各規定内容が互いに関連しあい複雑な構成となっている。したがって、このような複雑な体系を有する法律や当該法律に関連する施行規則等を学び理解することは大変な労力を必要とする。特に法律を学び始めた者や、法律の専門家ではない者であって特定の法律内容を確認する必要が生じた者にとっては、関連条文や関連規則等を見落としてしまい法律や規則等を正しく理解することが困難であると問題があった。
【０００６】
本考案は、このような課題を解決するためになされたもので、法令集等の書籍において列記される複数の規定内容のうち、どの規定同士が互いに関連するものであるのかを容易に判別することができる書籍を提供することを目的とする。
【課題を解決するための手段】
【０００７】
本考案の前記目的は、所定事項が記載される本文記載部と、余白部とを有する紙面を複数備える書籍であって、前記本文記載部には、連続する項目番号と、前記項目番号毎に分類して記載される記載事項とが印刷されており、互いに関連する内容を有する複数箇所の記載事項に付される一群の項目番号に対しては、前記一群の項目番号に含まれる各項目番号の近傍における前記余白部に、同一のマークが印刷されている書籍より達成される。
【０００８】
また、前記書籍においては、項目番号の近傍における前記余白部に、内容が関連する記載事項が掲載されているページ番号が印刷されていることが好ましい。
【０００９】
また、前記項目番号毎に分類して記載される記載事項は、法律に関するものであることが好ましい。
【００１０】
また、前記本文記載部には、前記項目番号毎に分類して記載される記載事項に関連する表が更に掲載されており、前記表中の記載であって、前記一群の項目番号における記載事項と関連する表中記載に対しては、前記一群の項目番号に含まれる各項目番号の近傍における前記余白部に印刷される前記マークと同一のマークが、前記表中記載の近傍における前記余白部に、印刷されていることが好ましい。
【考案の効果】
【００１１】
本考案によれば、法令集等の書籍において列記される複数の規定内容のうち、どの規定同士が互いに関連するものであるのかを容易に判別することができる書籍を提供することができる。
【図面の簡単な説明】
【００１２】
【図１】本考案の一実施形態にかかる書籍の紙面を示す平面図である。
【図２】余白部に印刷されるマークの変形例を示す説明図である。
【図３】図１に示す書籍の紙面の変形例を示す平面図である。
【図４】図１に示す書籍の紙面の他の変形例を示す平面図である。
【図５】図１に示す書籍の紙面の更に他の変形例を示す平面図である。
【考案を実施するための形態】
【００１３】
以下、本考案の実施形態について添付図面を参照して説明する。図１は、本考案の一実施形態にかかる書籍の紙面を示す平面図である。本考案に係る書籍は、所定事項が記載される本文記載部１と、余白部２とを有する紙面３を複数備える書籍である。ここで、本文記載部１に掲載される所定事項としては、例えば、ある種の法律に関する条文や施行令、施行規則等の各々であってもよく、また、条文、施行令及び施行規則等をひとまとめにしたものであってもよい。また、法律に関連する内容以外の内容であってもよい。
【００１４】
余白部２は、通常、紙面３の四辺側縁近傍において枠状に形成されるものであり、この枠状の余白部２の内側に本文記載部１が形成される。本文記載部１には、第１条、第２条、第３条・・・というように連続する項目番号（条文番号や規則番号等）と、項目番号毎に分類して記載される記載事項とが印刷されている。法律や当該法律に関する施行令、施行規則等においては、いくつかの項目番号に記載される記載事項が、互いに関連しあう構成となっているが、このように、互いに関連する内容を有する複数箇所の記載事項に付される一群の項目番号に対しては、一群の項目番号に含まれる各項目番号の近傍における余白部２の所定領域に、同一のマーク１０が印刷されている。図１においては、２条と４条との記載事項とが互いに密接に関連しているものとして、同一のマーク（○印）１０を余白部２に印刷した形態を示している。互いに関連する内容を有する複数箇所の記載事項に付される一群の項目番号に対して、各項目番号近傍に同一のマーク１０を印刷することにより、視覚を通して瞬間的にどの項目番号同士（規定同士）が互いに関連するものであるのかを容易に判別することができる。この結果、各記載事項同士が互いに関連しあい複雑な構成となっている各種法律の条文や施行規則等を学ぶ者や、法律の専門家ではない者であって特定の法律内容を確認する必要が生じた者が、関連条文や関連規則等を見落としてしまうことを効果的に防止し、法律や規則等を正しく理解することが容易となる。
【００１５】
互いに関連する記載事項を有する複数の項目番号の近傍に印刷される同一マーク１０としては、種々の形状を採用することができる。図１においては、○印（白抜丸印）のマークを採用しているが、図２の（ａ）〜（ｇ）に示すように、白抜き楕円印や、△印（白抜三角印）、☆印（白抜星印）等の種々の形状のマークを使用してもよい。また、○印（白抜丸印）や、△印（白抜三角印）等の白抜き部分に対して、赤、青、緑、ピンク等の種々の色彩により色づけを施してもよい。
【００１６】
また、互いに関連する内容を有する複数箇所の記載事項に付される一群の項目番号（項目番号群）が複数ある場合には、例えば、第１の項目番号群に対しては○印（白抜丸印）のマークを、第２の項目番号群に対しては△印（白抜三角印）のマークを、第３の項目番号群に対しては□印（白抜四角印）のマークを、というように項目番号群毎にマークの形状を変更して、各項目番号群に含まれる各項目番号の近傍における余白部に各マークを印刷するようにすればよい。
【００１７】
また、互いに関連する内容を有する複数箇所の記載事項に付される一群の項目番号（項目番号群）が複数存在し、各項目番号群が更に互いに関連するような場合には、図３に示すように、それぞれの項目番号群に対して付される異なるマークを、それぞれの項目番号群を構成する各項目番号の近傍における余白部２に印刷すればよい。なお、図３においては、２条及び４条が互いに関連する項目番号群を構成すると共に、２条及び５条も互いに関連する項目番号群を構成するものとしている。
【００１８】
また、図４に示すように、項目番号の近傍における余白部２に、当該項目番号に対応して記載される記載事項の内容と関連する他の記載事項が掲載されているページ番号１１を印刷するように構成してもよい。このように、ある記載事項の内容と関連する他の記載事項が掲載されるページ番号１１を、ある記載事項に付される項目番号の近傍における余白部２に印刷することにより、どのページに関連事項が掲載されているのかが容易に分かり、関連事項の内容を確認することが容易になる。なお、図４においては、２条における記載事項と、１０２条における記載事項とが互いに関連する内容であり、項目番号：２条という表記の近傍における余白部２に、○印（白抜丸印）のマークを印刷すると共に、当該○印（白抜丸印）の下方の余白部２に、１０２条が掲載されているページ番号：Ｐ．２1を印刷するように構成している。また、項目番号：１０２条という表記の近傍における余白部２に、○印（白抜丸印）のマークを印刷すると共に、当該○印（白抜丸印）の下方の余白部２に、２条が掲載されているページ番号：Ｐ．1を印刷するように構成している。
【００１９】
また、図５に示すように、本文記載部１に、項目番号毎に分類して記載される記載事項に関連する表を更に掲載し、当該表中の記載であって、上述の一群の項目番号（項目番号群）における記載事項と関連する表中記載に対しては、一群の項目番号に含まれる各項目番号の近傍における余白部に印刷されるマークと同一のマークを、表中記載の近傍における余白部２に印刷するように構成してもよい。このように構成することにより、表中における記載（表中記載）が、どの項目番号に記載される記載事項と関連を有するものであるのかを容易に判別することが可能となる。なお、図５においては、表中の項目（３）（４）（８）の記載（表中記載）が、図１における項目番号：２条と関連する内容となっているものとし、当該（３）（４）（８）という表示の近傍における余白部２に、図１における項目番号：２条の近傍に印刷されるマークと同一のマーク（○印：白抜丸印）を印刷した場合の形態を示している。
【００２０】
また、表中記載における一部の内容が、上述の一群の項目番号（項目番号群）における記載事項と関連するような場合には、例えば、図５の表中の項目（７）において示すように、表の内部における余白部２に、一群の項目番号に対して付されるマークと同一のマークを印刷するように構成してもよい。図５の項目（７）においては、記載内容の一部が、図３における項目番号：５条と関連する内容となっているものとし、当該一部の記載近傍の表中の余白部２に、図３における項目番号：５条の近傍に印刷されるマークと同一のマーク（☆印：白抜星印）を印刷した場合の形態を示している。
【符号の説明】
【００２１】
１  本文記載部
２  余白部
３  紙面
１０  マーク
１１  ページ番号
【図１】
0003171355.tif 000003
【図２】
0003171355.tif 000004
【図３】
0003171355.tif 000005
【図４】
0003171355.tif 000006
【図５】
0003171355.tif 000007